(57)【要約】【課題】構成が煩雑でなく、かつ、夜間の屋外において、俯いた人の顔を監視カメラでより鮮明に撮影できるように照明することができる照明装置を提供する。【解決手段】照明装置１０であって、設置面５０に設置される支持柱１２と、支持柱１２に固定されて、照明光を出射する照明器具１１と、を備え、支持柱１２は、支持柱１２の表面のうち、設置面５０から照明器具１１が固定される高さまでの領域の少なくとも一部に光偏向部材１３を備え、光偏向部材１３は、照明光に含まれる入射光１１１を受けて、入射光１１１の伝播方向と異なる方向に出射光１１２を出射し、照明装置１０が設置された状態において、出射光１１２の伝播方向と水平方向とのなす角は、入射光１１１の伝播方向と水平方向とのなす角より小さい。【選択図】図１
2016126973.tif 000002
【特許請求の範囲】
【請求項１】
照明装置であって、
設置面に設置される支持柱と、
前記支持柱に固定されて、照明光を出射する照明器具と、を備え、
前記支持柱は、前記支持柱の表面のうち、前記設置面から前記照明器具が固定される高さまでの領域の少なくとも一部に光偏向部材を備え、
前記光偏向部材は、前記照明光に含まれる入射光を受けて、前記入射光の伝播方向と異なる方向に出射光を出射し、
前記照明装置が設置された状態において、前記出射光の伝播方向と水平方向とのなす角は、前記入射光の伝播方向と前記水平方向とのなす角より小さい
照明装置。
【請求項２】
前記入射光は、その分光分布において、波長４５０ｎｍ以上、５５０ｎｍ以下の成分をエネルギー比で５５％以上含む
請求項１に記載の照明装置。
【請求項３】
前記照明光の一部は、前記光偏向部材に入射されず、かつ、前記光偏向部材に入射される前記入射光と異なる分光分布を有する
請求項１又は２に記載の照明装置。
【請求項４】
前記光偏向部材は、表面にプリズム構造を備える
請求項１〜３のいずれか１項に記載の照明装置。
【請求項５】
前記光偏向部材は、表面に複数の球状ビーズが配列された構造を備える
請求項１〜３のいずれか１項に記載の照明装置。
【請求項６】
前記光偏向部材は、光拡散部材から構成される
請求項１〜３のいずれか１項に記載の照明装置。
【請求項７】
前記支持柱は、前記支持柱の表面のうち、前記設置面からの高さが０．５ｍ以上、２．０ｍ以下の領域の少なくとも一部に前記光偏向部材を備える
請求項１〜６のいずれか１項に記載の照明装置。
【請求項８】
前記光偏向部材は前記出射光を水平方向又は水平方向周辺に出射する
請求項７に記載の照明装置。
【請求項９】
請求項１〜８のいずれか１項に記載の照明装置と、
監視カメラと、を備える
監視システム。
【発明の詳細な説明】
【技術分野】
【０００１】
本発明は、主に屋外に設置される照明装置及び監視システムに関する。
【背景技術】
【０００２】
街路、公園などに、防犯上の目的ために設置される監視カメラなどの監視装置が知られている。また、照明灯、監視カメラ及び緊急通報システムを一体化した緊急通報システムも提案されている（特許文献１）。
【先行技術文献】
【特許文献】
【０００３】
【特許文献１】特開２００３−３１７１７６号公報
【発明の概要】
【発明が解決しようとする課題】
【０００４】
特許文献１に記載された緊急通報システムでは、照明灯によって周辺を照明することができる。
【０００５】
しかしながら、夜間の屋外では、照明灯などの照明器具が設置されていても、カメラ撮影に十分な照度が得られない場合がある。特に、俯いた人の顔を撮影する際、特許文献１に記載された照明灯のように高所から照明する場合には、顔が影になるため、カメラ画像が不鮮明になるおそれがある。上記の問題を解決するために、例えば、照明灯以外に撮影用の照明器具を別途設けるなどの対策が考えられるが、そのような対策によると装置が煩雑となる。また、撮影用の照明器具を設けることにより、歩行者が眩しく感じる場合もあり得る。
【０００６】
本発明は、上述の事情を鑑みてなされたものであり、構成が煩雑でなく、かつ、夜間の屋外において、俯いた人の顔を監視カメラでより鮮明に撮影できるように照明することができる照明装置及び監視システムを提供することを目的とする。
【課題を解決するための手段】
【０００７】
上記目的を達成するために、本発明に係る照明装置の一態様は、照明装置であって、設置面に設置される支持柱と、支持柱に固定されて、照明光を出射する照明器具と、を備え、支持柱は、支持柱の表面のうち、設置面から照明器具が固定される高さまでの領域の少なくとも一部に光偏向部材を備え、光偏向部材は、照明光に含まれる入射光を受けて、入射光の伝播方向と異なる方向に出射光を出射し、照明装置が設置された状態において、出射光の伝播方向と水平方向とのなす角は、入射光の伝播方向と水平方向とのなす角より小さい。
【発明の効果】
【０００８】
本発明によれば、構成が煩雑でなく、かつ、夜間の屋外において、俯いた人の顔を監視装置でより鮮明に撮影できるように照明することができる照明装置及び監視システムを提供することができる。
【図面の簡単な説明】
【０００９】
【図１】図１は、実施の形態１に係る監視システムの外観図である。
【図２Ａ】図２Ａは、実施の形態１に係る光偏向部材の断面内における入射光及び出射光の光路の一例を示す概略図である。
【図２Ｂ】図２Ｂは、実施の形態１に係る光偏向部材の断面内における入射光及び出射光の光路の他の一例を示す概略図である。
【図３】図３は、表面にプリズム構造を備える光偏向部材の一例を示す概略断面図である。
【図４】図４は、表面に複数の球状ビーズが配列された構造を備える光偏向部材の一例を示す概略断面図である。
【図５】図５は、実施の形態１に係る撮像素子の一例であるＣＭＯＳセンサの分光感度特性を示すグラフである。
【図６】図６は、実施の形態１に係る照明装置の光源として使用し得るＬＥＤ光源の分光分布の一例を示すグラフである。
【図７】図７は、実施の形態２に係る監視システムの外観図である。
【図８】図８は、実施の形態２に係る光源の第一の例の概略構成を示す正面図である。
【図９】図９は、実施の形態２に係る光源の第二の例の概略構成を示す正面図である。
【図１０】図１０は、実施の形態２に係る光源の第三の例の概略構成を示す側面図である。
【発明を実施するための形態】
【００１０】
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
以下、実施の形態１に係る照明装置及びそれを用いた監視システムについて説明する。
【００１３】
［１−１．構成］
まず、実施の形態１に係る照明装置及びそれを用いた監視システムの構成について、図面を用いて説明する。
【００１４】
図１は、本実施の形態に係る監視システム１の外観図である。
【００１５】
監視システム１は、主に、屋外に設置されるシステムであり、屋外の所定の領域を監視する。
【００１６】
図１に示されるように、監視システム１は、照明装置１０及び監視カメラ２０を備える。
【００１７】
監視カメラ２０は、照明装置１０近辺を撮影するカメラである。また、監視カメラ２０は、夜間には、照明装置１０によって照明された領域を撮影する。また、監視カメラ２０は、例えば、図１に示されるように、建造物６０の壁面などに設置される。なお、監視カメラ２０は、照明装置１０に設置されてもよい。
【００１８】
照明装置１０は、主に屋外に設置される照明装置であり、照明器具１１及び支持柱１２を備える。
【００１９】
照明器具１１は、支持柱１２に固定されて、照明光を出射する器具である。照明器具１１は、支持柱１２の先端付近に固定されて、下方に照明する。照明器具１１は、内部に、例えばＬＥＤ（Ｌｉｇｈｔ  Ｅｍｉｔｔｉｎｇ  Ｄｉｏｄｅ）などから構成される光源を備える。また、照明器具１１は、光源から出射された光の配光を調整するためのレンズ、反射板などの光学系を備えてもよい。また、図１では、照明器具１１は、支持柱１２から一方に張り出した位置に設けられているが、複数方向に複数個の照明器具１１が設けられてもよい。また、照明器具１１は、支持柱１２の直上に設けられてもよい。
【００２０】
支持柱１２は、設置面５０に設置される柱状部材であり、照明器具１１を支持する。支持柱１２は、例えば金属などから構成される。また、支持柱１２の断面は、例えば、円形、矩形など、任意の形状であってよい。また、支持柱１２は、支持柱１２の表面のうち、設置面５０から照明器具１１が固定される高さまでの領域の少なくとも一部に光偏向部材１３を備える。
【００２１】
光偏向部材１３は、照明器具１１から出射される照明光に含まれる入射光１１１を受けて、入射光１１１の伝播方向と異なる方向に出射光１１２を出射する光学部材である。また、照明装置１０が設置された状態において、出射光１１２の伝播方向と水平方向とのなす角は、入射光１１１の伝播方向と水平方向とのなす角より小さい。すなわち、鉛直方向下向きに近い方向に伝播する照明光の一部が、水平方向に近い方向に偏向される。これにより、俯いた人の顔を照明し得るようになるため、監視カメラ２０によって、俯いた人の顔をより鮮明に撮影できる。光偏向部材１３は、例えば、シート状の部材であり、支持柱１２の表面に固定される。また、光偏向部材１３は、支持柱１２に一体的に形成されていてもよい。また、光偏向部材１３は、支持柱１２の全周に設けられていてもよいし、周囲の一部に設けられていてもよい。例えば、照明装置１０が歩道に沿って設置される場合には、支持柱１２の歩道側の部分だけに光偏向部材１３が設けられていてもよい。
【００２２】
ここで、光偏向部材１３について、図面を用いて説明する。
【００２３】
図２Ａは、本実施の形態に係る光偏向部材１３の断面内における入射光１１１及び出射光１１２の光路の一例を示す概略図である。
【００２４】
図２Ｂは、本実施の形態に係る光偏向部材１３の断面内における入射光１１１及び出射光１１２の光路の他の一例を示す概略図である。
【００２５】
図２Ａ及び図２Ｂに示されるように、光偏向部材１３は、入射光１１１を受けて、入射光１１１を偏向させた出射光１１２を出射する。ここで、出射光１１２の伝播方向と水平方向（図２Ａ及び図２Ｂの一点鎖線の方向）とのなす角β１及びβ２が、入射光１１１の伝播方向と水平方向とのなす角α１及びα２より、それぞれ小さい。
【００２６】
なお、図２Ａ及び図２Ｂに示されるように、出射光１１２は、水平方向より鉛直方向上向き（図２Ａ参照）であっても、鉛直方向下向き（図２Ｂ参照）であってもよい。
【００２７】
次に、上述した光偏向部材１３の具体的な構成について図面を用いて説明する。
【００２８】
図３は、表面にプリズム構造１３１を備える光偏向部材１３Ａの一例を示す概略断面図である。
【００２９】
図４は、表面に複数の球状ビーズ１３２が配列された構造を備える光偏向部材１３Ｂの一例を示す概略断面図である。
【００３０】
なお、図３及び図４には、入射光１１１及び出射光１１２の光路の概要も示されている。
【００３１】
図３に示されるように、光偏向部材１３Ａは、プリズム構造１３１及び反射面１３３を備える。プリズム構造１３１は、例えば、アクリルなどの透明部材から構成される。また、反射面１３３は、例えば、金属蒸着膜などから構成される。
【００３２】
図４に示されるように、光偏向部材１３Ｂは、複数の球状ビーズ１３２及び反射面１３４を備える。球状ビーズ１３２は、例えば、アクリルなどの透明部材から構成される。また、反射面１３４は、例えば、金属蒸着膜などから構成される。
【００３３】
光偏向部材１３Ａ及び１３Ｂが上記の構成を備えることにより、図３及び図４に示されるように、入射光１１１は、光偏向部材１３Ａ及び１３Ｂにおいて、屈折及び反射する。そのため、出射光１１２の伝播方向と水平方向とのなす角を、入射光１１１の伝播方向と水平方向とのなす角より小さくすることができる。また、出射光１１２の伝播方向は、水平方向及び水平方向周辺であってもよい。ここで、水平方向周辺とは、水平方向とのなす角が、３０度以内であることを意味する。
【００３４】
なお、光偏向部材１３から出射されるすべての出射光１１２の伝播方向と水平方向とのなす角が、入射光１１１の伝播方向と水平方向とのなす角より小さい必要はない。すなわち、出射光１１２の少なくとも一部の伝播方向と水平方向とのなす角が入射光１１１の伝播方向と水平方向とのなす角より小さければよい。
【００３５】
また、光偏向部材１３から出射される出射光１１２を人の顔に照射するために、支持柱１２の表面のうち、設置面５０からの高さが０．５ｍ以上、２．０ｍ以下の領域の少なくとも一部に光偏向部材１３が設けられてもよい。さらには、支持柱１２の表面のうち、設置面５０からの高さが１．０ｍ以上、２．０ｍ以下の領域においては、全体に亘り光偏向部材１３が設けられる方が好ましい。
【００３６】
なお、光偏向部材１３は、光拡散部材から構成されてもよい。光拡散部材は、例えば、表面に高反射粒子が分散された層から構成されてもよい。光偏向部材１３が光拡散部材から構成される場合には、出射光１１２の伝播方向は、水平方向及び水平方向周辺を含む広い範囲に拡散する。これにより、出射光１１２の少なくとも一部が、人の顔付近に照射される。
【００３７】
［１−２．入射光の分光分布］
次に、光偏向部材１３に入射される入射光１１１の分光分布について説明する。
【００３８】
本実施の形態においては、監視カメラ２０での撮影をより鮮明にするために、出射光１１２を人の顔に照射しようとするものである。そのため、監視カメラ２０での撮影をより鮮明にするためには、出射光１１２に対する監視カメラ２０に搭載された撮像素子の感度が高い方がよい。ここで、一般的に使用されている撮像素子の一例であるＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）センサの分光感度特性について図面を用いて説明する。
【００３９】
図５は、本実施の形態に係る撮像素子の一例であるＣＭＯＳセンサの分光感度特性を示すグラフである。
【００４０】
図５に示されるように、ＣＭＯＳセンサは、可視光のうち短波長側（ピーク波長約５００ｎｍ）において感度が高い。そのため、比較的短波長成分（特に、波長４５０ｎｍ以上、５５０ｎｍ以下）を多く含む光で照射された撮影対象を、監視カメラ２０で撮影する場合、得られる画像は全体的に明るくなり、鮮明さが向上する。なお、一般的に使用されている撮像素子の他の一例であるＣＣＤ（Ｃｈａｒｇｅ−Ｃｏｕｐｌｅｄ  Ｄｅｖｉｃｅ）センサの分光感度特性も、図５に示される分光感度特性と同様である。
【００４１】
したがって、監視カメラ２０によって、より鮮明な画像を撮影するために、入射光１１１を含む照明光が、波長４５０ｎｍ以上、５５０ｎｍ以下の波長領域の光を多く含む分光分布を有してもよい。ここで、そのような分光分布を有するＬＥＤ光源の一例について、図面を用いて説明する。
【００４２】
図６は、本実施の形態に係る照明装置１０の光源として使用し得るＬＥＤ光源の分光分布の一例を示すグラフである。
【００４３】
図６に示されるように、当該ＬＥＤ光源の分光分布は、波長４５０ｎｍ付近にピークを有する。また、当該ＬＥＤ光源から出射される光は、その分光分布において、波長４５０ｎｍ以上、５５０ｎｍ以下の成分をエネルギー比で５５％以上含んでもよい。これによれば、色温度が５０００Ｋ程度（平均演色評価数が７０程度）の一般的な白色ＬＥＤ光源を用いる場合と比較して、ＣＭＯＳセンサの感度が約１０％向上する。
【００４４】
［１−３．効果など］
以上のように、本実施の形態に係る照明装置１０は、設置面５０に設置される支持柱１２と、支持柱１２に固定されて、照明光を出射する照明器具１１と、を備え、支持柱１２は、支持柱１２の表面のうち、設置面５０から照明器具１１が固定される高さまでの領域の少なくとも一部に光偏向部材１３を備え、光偏向部材１３は、照明光に含まれる入射光１１１を受けて、入射光１１１の伝播方向と異なる方向に出射光１１２を出射し、照明装置１０が設置された状態において、出射光１１２の伝播方向と水平方向とのなす角は、入射光１１１の伝播方向と水平方向とのなす角より小さい。
【００４５】
このように、鉛直方向下向きに近い方向に伝播する照明光の一部である入射光１１１が、水平方向に近い方向に偏向される。これにより、俯いた人の顔を照明し得るようになるため、監視カメラ２０によって、俯いた人の顔をより鮮明に撮影できる。
【００４６】
また、本実施の形態に係る照明装置１０において、入射光１１１は、その分光分布において、波長４５０ｎｍ以上、５５０ｎｍ以下の成分をエネルギー比で５５％以上含む。
【００４７】
これにより、分光感度特性において、波長５００ｎｍ付近にピークを有する一般的な撮像素子を備える監視カメラ２０で撮影する場合に、監視カメラ２０の感度を向上させることができるため、監視カメラ２０によってより鮮明な撮影が可能となる。
【００４８】
また、本実施の形態に係る照明装置１０において、光偏向部材１３は、表面にプリズム構造１３１を備えてもよい。
【００４９】
また、本実施の形態に係る照明装置１０において、光偏向部材１３は、表面に複数の球状ビーズ１３２が配列された構造を備えてもよい。
【００５０】
また、本実施の形態に係る照明装置１０において、光偏向部材１３は、光拡散部材から構成されてもよい。
【００５１】
また、本実施の形態に係る照明装置１０において、支持柱１２は、支持柱１２の表面のうち、設置面５０からの高さが０．５ｍ以上、２．０ｍ以下の領域の少なくとも一部に光偏向部材１３を備える。
【００５２】
これにより、出射光１１２を人の顔付近に照射することができる。
【００５３】
また、本実施の形態に係る照明装置１０において、光偏向部材１３は出射光１１２を水平方向又は水平方向周辺に出射してもよい。
【００５４】
また、本実施の形態に係る監視システム１は、照明装置１０と、監視カメラ２０と、を備える。
【００５５】
監視システム１では、上述のように、鉛直方向下向きに近い方向に伝播する照明光の一部である入射光１１１が、水平方向に近い方向に偏向される。これにより、俯いた人の顔を照明し得るようになるため、監視カメラ２０によって、俯いた人の顔をより鮮明に撮影できる。
【００５６】
（実施の形態２）
次に、実施の形態２に係る照明装置及びそれを用いた監視システムについて、図面を用いて説明する。本実施の形態に係る照明装置及びそれを用いた監視システムは、監視カメラによって鮮明な画像を撮影することだけでなく、照明環境の雰囲気を自由に選択することを可能にする。
【００５７】
［２−１．構成］
まず、本実施の形態に係る照明装置及びそれを用いた監視システムの構成について、図面を用いて説明する。以下では、上記実施の形態１との相違点を中心に説明し、共通点については説明を省略する。
【００５８】
図７は、本実施の形態に係る監視システム１Ａの外観図である。
【００５９】
図７に示されるように、本実施の形態に係る監視システム１Ａは、照明装置１０Ａ及び監視カメラ２０を備える。
【００６０】
照明装置１０Ａは、主に、照明器具１１Ａ及び支持柱１２を備える。
【００６１】
照明器具１１Ａは、上記実施の形態１に係る照明器具１１と同様に、照明光を出射する器具である。ただし、照明器具１１Ａは、照明光の構成において、上記実施の形態１に係る照明器具１１と相違する。本実施の形態に係る照明器具１１Ａにおいては、図７に示されるように、照明光の一部は、光偏向部材１３に入射されず、かつ、光偏向部材１３に入射される入射光１１１と異なる分光分布を有する。本実施の形態では、照明光は、光偏向部材１３に入射する入射光１１１を含む第１照明光１２１と、第１照明光１２１と異なる分光分布を有する第２照明光１２２とから構成される。
【００６２】
第１照明光１２１は、監視カメラ２０に搭載された撮像素子の感度が高い波長領域の光を多く含む光である。本実施の形態では、上記実施の形態１に係る照明器具１１の照明光と同様に、波長４５０ｎｍ以上、５５０ｎｍ以下の波長領域の光を多く含む分光分布を有してもよい。この場合、第１照明光１２１に含まれる入射光１１１が、撮像素子の感度が高い波長領域の光を多く含む。そして、入射光１１１が光偏向部材１３によって偏向された光である出射光１１２が、撮影対象である人などに照射されるため、監視カメラ２０によって、より鮮明な画像を撮影することができる。
【００６３】
第２照明光１２２は、照明装置１０Ａの周辺空間を照明する光であり、照明環境において所望の雰囲気を得るために使用される。ここで、照明環境における雰囲気は、照明光の分光分布によって決定される。上述のように、本実施の形態では、第１照明光１２１は、比較的短波長の光が多く含まれる青白い色合いの照明光であるため、第１照明光１２１によって照明される空間は、比較的冷やかな雰囲気となる。そこで、本実施の形態では、第２照明光１２２として、例えば、色温度が３０００Ｋ程度の比較的長波長の光が多く含まれる赤みがかった照明光を用いる。これにより、照明装置１０Ａの周辺における照明環境を暖かい雰囲気とすることができる。なお、第２照明光１２２が照射される空間として、照明装置１０Ａの周辺の任意の空間を選択できる。例えば、第２照明光１２２は、第１照明光１２１が照射される領域にも照射されてもよい。
【００６４】
次に、上記の第１照明光１２１及び第２照明光１２２を出射する照明器具１１Ａについて説明する。
【００６５】
照明器具１１Ａは、内部に、第１照明光１２１及び第２照明光１２２を出射する光源を備える。当該光源の構成例について図面を用いて説明する。
【００６６】
図８は、本実施の形態に係る光源の第一の例の概略構成を示す正面図である。図８には、光源１５Ａの光出射側の面が示されている。
【００６７】
図９は、本実施の形態に係る光源の第二の例の概略構成を示す正面図である。図９には、光源１５Ｂの光出射側の面が示されている。
【００６８】
図１０は、本実施の形態に係る光源の第三の例の概略構成を示す側面図である。
【００６９】
光源１５Ａは、図８に示されるように、基台１５０Ａ、第１光源１５１Ａ及び第２光源１５２Ａを備える。
【００７０】
第１光源１５１Ａは、第１照明光１２１を出射する光源である。第１光源１５１Ａは、例えば、基板と、基板上に実装されたベアチップ（ＬＥＤチップ）である複数のＬＥＤと、それらＬＥＤを封止し、蛍光体を含む封止部材とを備える発光モジュールであってもよい。また、基板は、複数のＬＥＤを実装するための実装基板であって、例えばセラミックス基板、樹脂基板又は絶縁被覆されたメタルベース基板などである。なお、図示しないが、基板には、ＬＥＤを発光させるための直流電力を外部から受電するための一対の電極端子（正電極端子及び負電極端子）が形成されている。また、第１光源１５１Ａは、第１照明光１２１を出射するＬＥＤチップであってもよい。また、第１光源１５１Ａの光出射側には、第１照明光１２１の配光を調整するためのレンズなどの光学系が設けられてもよい。
【００７１】
第２光源１５２Ａは、第２照明光１２２を出射する光源である。第２光源１５２Ａは、第１光源１５１Ａと同様の発光モジュールであってもよい。ただし、第２光源１５２Ａは、出射する光の分光分布において、第１光源１５１Ａと相違する。また、第２光源１５２Ａは、第２照明光１２２を出射するＬＥＤチップであってもよい。また、第２光源１５２Ａの光出射側には、第２照明光１２２の配光を調整するためのレンズなどの光学系が設けられてもよい。
【００７２】
基台１５０Ａは、第１光源１５１Ａ及び第２光源１５２Ａが設けられる部材である。第１光源１５１Ａ及び第２光源１５２Ａが発光モジュールである場合には、基台１５０Ａは、例えば、樹脂、金属などの材料から構成される。また、第１光源１５１Ａ及び第２光源１５２ＡがＬＥＤ（ＬＥＤチップ）である場合には、基台１５０Ａは、ＬＥＤを実装するための実装基板であってもよい。例えば、基台１５０Ａは、セラミックス基板、樹脂基板又は絶縁被覆されたメタルベース基板などであってもよい。また、基台１５０Ａの形状は、照明器具１１Ａの形状などに応じて適宜決定されてよい。基台１５０Ａの形状としては、例えば、円形、楕円形、長方形など任意の形状を用いることができる。
【００７３】
光源１５Ｂは、図９に示されるように、基台１５０Ｂ、第１光源１５１Ｂ及び第２光源１５２Ｂを備える。
【００７４】
第１光源１５１Ｂは、第１照明光１２１を出射する光源である。第１光源１５１Ｂは、例えば、基板と、基板上に実装された複数のＬＥＤと、それらＬＥＤを封止し、蛍光体を含む封止部材とを備える発光モジュールである。第１光源１５１Ｂの光出射側には、第１照明光１２１の配光を調整するためのレンズなどの光学系が設けられてもよい。図９においては、第１光源１５１Ｂの光出射面の形状は円形であるが、他の任意の形状を適宜選択することができる。
【００７５】
第２光源１５２Ｂは、第２照明光１２２を出射する光源である。第２光源１５２Ｂは、例えば、基板と、基板上に実装された複数のＬＥＤと、それらＬＥＤを封止し、蛍光体を含む封止部材とを備える発光モジュールである。第２光源１５２Ｂの光出射側には、第２照明光１２２の配光を調整するためのレンズなどの光学系が設けられてもよい。図９においては、第２光源１５２Ｂの光出射面の形状は円環状であるが、第１光源１５１Ｂの形状に応じて他の形状を適宜選択することができる。
【００７６】
基台１５０Ｂは、第１光源１５１Ｂ及び第２光源１５２Ｂが設けられる部材である。基台１５０Ｂは、例えば、樹脂、金属などの材料から構成される。図９においては、第１光源１５１Ｂの光出射面の形状は円形であるが、他の任意の形状を適宜選択することができる。
【００７７】
光源１５Ｃは、図１０に示されるように、基台１５０Ｃ、第１光源１５１Ｃ及び第２光源１５２Ｃを備える。
【００７８】
第１光源１５１Ｃは、第１照明光１２１を出射する光源である。第１光源１５１Ｃは、上記第１光源１５１Ａと同様の構成を備える。
【００７９】
第２光源１５２Ｃは、第２照明光１２２を出射する光源である。第２光源１５２Ｃは、上記第２光源１５２Ａと同様の構成を備える。
【００８０】
基台１５０Ｃは、第１光源１５１Ｂ及び第２光源１５２Ｂが設けられる部材である。基台１５０Ｃは、図１０に示されるように、平坦な中央面１５４Ｃと、中央面１５４Ｃに対して傾斜している周縁面１５３Ｃと、を備える。基台１５０Ｃの周縁面１５３Ｃ及び中央面１５４Ｃには、それぞれ、第２光源１５２Ｃ及び第１光源１５１Ｃが設けられる。これにより、例えば、第１光源１５１Ｃから出射される第１照明光１２１は、照明器具１１Ａの直下方向に照射され、第２光源１５２Ｃから出射される第２照明光１２２は、第１照明光１２１から離れる方向に照射される。基台１５０Ｃが以上の構成を備えることにより、第１照明光１２１及び第２照明光１２２の照射方向を基台１５０Ｃの表面形状によって調整することができる。なお、図１０に示される例では、基台１５０Ｃの形状は円錐台であるが、中央面１５４Ｃと中央面１５４Ｃに対して傾斜している周縁面１５３Ｃとを備えれば、円錐台以外の形状であってもよい。また、中央面１５４Ｃは、必ずしも平坦でなくてもよい。例えば、周縁面１５３Ｃより小さい角度で傾斜していてもよいし、曲面であってもよい。
【００８１】
また、第１光源１５１Ｃ及び第２光源１５２Ｃが発光モジュールである場合には、基台１５０Ｃは、例えば、樹脂、金属などの材料から構成される。また、第１光源１５１Ｃ及び第２光源１５２ＣがＬＥＤ（ＬＥＤチップ）である場合には、基台１５０Ｃは、ＬＥＤを実装するための実装基板であってもよい。例えば、基台１５０Ｃは、セラミックス基板、樹脂基板又は絶縁被覆されたメタルベース基板などであってもよい。
【００８２】
光源１５Ａ、１５Ｂ及び１５Ｃは、上述の構成を備えることにより、中央部に第１照明光１２１を含み、第１照明光１２１の周囲に第２照明光１２２を含む照明光を出射する。そのため、第１照明光１２１が、光偏向部材１３に照射されるように、照明器具１１Ａ内に光源１５Ａ、１５Ｂ又は１５Ｃを配置することにより、上述の機能を有する照明器具１１Ａを実現することができる。
【００８３】
また、光源１５Ａ、１５Ｂ及び１５Ｃにおいて、各第１光源と各第２光源との間に、仕切り壁を設けてもよい。これにより、第１照明光１２１と第２照明光１２２とが混合することを抑制することができる。仕切り壁は、アルミニウム板、テフロン（登録商標）板などの反射部材から構成してもよい。これにより、仕切り壁による光の吸収が抑制されて、各光源からの光の利用効率を高めることができる。
【００８４】
［２−２．効果など］
以上のように、本実施の形態に係る照明装置１０Ａにおいて、照明光の一部は、光偏向部材１３に入射されず、かつ、光偏向部材１３に入射される入射光１１１と異なる分光分布を有する。
【００８５】
これにより、上記実施の形態１に係る照明装置１０と同様に、監視カメラ２０によって、俯いた人の顔をより鮮明に撮影できる。また、本実施の形態に係る照明装置１０Ａにおいては、さらに、光偏向部材１３に入射されない照明光の少なくとも一部として、入射光１１１と異なる分光分布を有する光（第２照明光１２２）が用いられることにより、照明環境の雰囲気を自由に選択することが可能となる。
【００８６】
（変形例など）
以上、本発明に係る照明装置について、各実施の形態に基づいて説明したが、本発明は、上記各実施の形態に限定されない。
【００８７】
例えば、上記各実施の形態では、光源として、ＬＥＤ光源を用いる例を示したが、光源として、他の任意の光源を用いることができる。例えば、有機ＥＬ素子など他の固体発光素子を用いてもよい。
【００８８】
また、上記各実施の形態では、光偏向部材１３が、表面にプリズム構造１３１を備える構成を有する例などが示されたが、光偏向部材１３の構成はそれらに限られない。例えば、光偏向部材１３は、微小な偏向ミラーが配列された構成を有してもよい。
【００８９】
また、上記各実施の形態では、光偏向部材１３において、入射光１１１に含まれる全波長成分の光を偏向する例を示したが、光偏向部材１３において、波長フィルタなどを用いることにより所定の波長帯域の光だけを偏向させる構成としてもよい。
【００９０】
また、上記各実施の形態においては、監視カメラ２０が備える撮像素子として、ＣＭＯＳセンサ及びＣＣＤセンサなどを例示したが、他の撮像素子を用いてもよい。また、撮像素子の分光感度特性に応じて、入射光１１１の分光分布を適宜設定してもよい。
【００９１】
また、上記実施の形態２では、照明光に第１照明光１２１及び第２照明光１２２が含まれる例が示されたが、照明光の構成はこれに限られない。例えば、照明光として、三種類以上の相異なる分光分布を有する光が含まれていてもよい。
【００９２】
その他、実施の形態に対して当業者が思いつく各種変形を施して得られる形態、又は、本発明の趣旨を逸脱しない範囲で実施の形態又は変形例における構成要素及び機能を任意に組み合わせることで実現される形態も本発明に含まれる。
【符号の説明】
【００９３】
１、１Ａ  監視システム
１０、１０Ａ  照明装置
１１、１１Ａ  照明器具
１２  支持柱
１３、１３Ａ、１３Ｂ  光偏向部材
２０  監視カメラ
５０  設置面
１１１  入射光
１１２  出射光
１３１  プリズム構造
１３２  球状ビーズ
【図１】
2016126973.tif 000003
【図２Ａ】
2016126973.tif 000004
【図２Ｂ】
2016126973.tif 000005
【図３】
2016126973.tif 000006
【図４】
2016126973.tif 000007
【図５】
2016126973.tif 000008
【図６】
2016126973.tif 000009
【図７】
2016126973.tif 000010
【図８】
2016126973.tif 000011
【図９】
2016126973.tif 000012
【図１０】
2016126973.tif 000013